(57)【特許請求の範囲】
【請求項１】
周囲の環境情報を収集するデータ収集装置において、
前記環境情報の収集に必要な複数の電子部品が固定されるとともに、当該電子部品同士の配線が行われた固定板と、
前記固定板を内部に収容するハウジングとを有し、
前記ハウジングは、少なくとも底部が開口した筒状の部材であり、内壁部の対向する位置に軸方向に延在する溝状のレール部が一対形成されており、また、ハウジング内部に外気を取り込む側壁部に形成された開口から底部近傍に固定された温湿度センサまで外気を誘導する誘導パイプを、該ハウジングの内壁及び該固定板と接触しないように設け、
前記固定板は、両サイドの縁部が前記レール部にそれぞれ狭持されて、前記底部側よりスライド挿入されることにより、前記ハウジングの内部に収容されることを特徴とするデータ収集装置。
【請求項２】
前記ハウジングは、上部に、前記収集された環境情報を外部に送信するためのアンテナユニットと、当該アンテナユニットを収容するアンテナカバーが取り付けられていることを特徴とする請求項１に記載されたデータ収集装置。
【請求項３】
前記ハウジングは、底部開口を封止する底板部を有することを特徴とする請求項１または２に記載されたデータ収集装置。
【請求項４】
環境情報を収集するデータ収集装置の組立方法において、
予めハウジング内に、ハウジング内部に外気を取り込む側壁部に形成された開口から底部近傍に固定された温湿度センサまで外気を誘導する誘導パイプを、該ハウジングの内壁及び該固定板と接触しないように組み付けておき、
固定板に、前記環境情報の収集に必要な複数の電子部品を固定するとともに、当該電子部品同士の配線を行う第１のステップと、
少なくとも底部が開口した筒状の部材であり、内壁部の対向する位置に軸方向に延在する溝状のレール部が一対形成されたハウジングの内部に、前記第１のステップの固定板を収容する第２のステップとを有し、
前記第２のステップは、前記固定板の両サイドの縁部を前記レール部にそれぞれ狭持させて、前記ハウジングの底部側よりスライド挿入するステップであることを特徴とするデータ収集装置の組立方法。
【請求項５】
前記第２のステップの前に、前記ハウジングの上部に、前記収集された環境情報を外部に送信するためのアンテナユニットと、当該アンテナユニットを収容するアンテナカバーとをそれぞれ取り付ける第３のステップをさらに有することを特徴とする請求項４に記載されたデータ収集装置の組立方法。
【請求項６】
前記第２のステップの後に、前記ハウジングの底部に、底部開口を封止する底板部を取り付ける第４のステップをさらに有することを特徴とする請求項４または５に記載されたデータ収集装置の組立方法。
【発明の詳細な説明】
【技術分野】
【０００１】
本発明は、データ収集装置およびその組立方法に係り、特に、周囲の環境情報を収集するデータ収集装置およびその組立方法に関する。
【背景技術】
【０００２】
例えば、特許文献１には、屋外に設置されて、周囲の環境情報（日照、温度、湿度、カメラ画像等）を収集するデータ収集装置が開示されている。この類のデータ収集装置は、センサやカメラなどの検出手段から情報を収集したり、収集した情報に関する内部処理を行ったりするために、種々の電子部品をハウジング内部に収容している。
【特許文献１】特開２００７−１９９３６８号公報
【発明の開示】
【発明が解決しようとする課題】
【０００３】
しかしながら、従来の手法によれば、ハウジングの内部空間に個々の電子部品を個別的に取り付けているため、ハウジングの内部形状が複雑になったり、固定用の部品が別途必要になったりし、また、電子部品の点数が多い場合には作業性が悪化するという不都合がある。また、個々の電子部品をハウジング内に取り付けた後に、電子部品同士の配線を行う必要があり、ハウジング内で作業を行うため、作業性が悪いという問題ある。さらに、個々の電子部品をハウジングに収容したり、これから取り外したりする場合に、個々の電子部品を個別的に取り扱わなければならないため、作業が煩雑となっていた。
【０００４】
本発明は、このような事情に鑑みてなされたものであり、その目的は、環境情報の収集に必要な電子部品を簡素な構造でハウジング内部に収容するとともに、その作業性の向上を図ることである。
【課題を解決するための手段】
【０００５】
かかる課題を解決するために、第１の発明は、周囲の環境情報を収集するデータ収集装置を提供する。かかるデータ収集装置は、環境情報の収集に必要な複数の電子部品が固定されるとともに、この電子部品同士の配線が行われた固定板と、固定板を内部に収容するハウジングとを有する。ここで、ハウジングは、少なくとも底部が開口した筒状の部材であり、内壁部の対向する位置に軸方向に延在する溝状のレール部が一対形成されており、また、ハウジング内部に外気を取り込む側壁部に形成された開口から底部近傍に固定された温湿度センサまで外気を誘導する誘導パイプを、該ハウジングの内壁及び該固定板と接触しないように設ける。固定板は、両サイドの縁部がレール部にそれぞれ狭持されて、底部側よりスライド挿入されることにより、ハウジングの内部に収容される。
【０００６】
ここで、第１の発明において、ハウジングは、上部に、収集された環境情報を外部に送信するためのアンテナユニットと、このアンテナユニットを収容するアンテナカバーが取り付けられていることが好ましい。
【０００７】
また、第１の発明において、ハウジングは、底部開口を封止する底板部を有することが望ましい。
【０００８】
また、第２の発明は、環境情報を収集するデータ収集装置の組立方法を提供する。かかるデータ収集装置の組立方法は、予めハウジング内に、ハウジング内部に外気を取り込む側壁部に形成された開口から底部近傍に固定された温湿度センサまで外気を誘導する誘導パイプを、該ハウジングの内壁及び該固定板と接触しないように組み付けておき、固定板に、環境情報の収集に必要な複数の電子部品を固定するとともに、この電子部品同士の配線を行う第１のステップと、少なくとも底部が開口した筒状の部材であり、内壁部の対向する位置に軸方向に延在する溝状のレール部が一対形成されたハウジングの内部に、第１のステップの固定板を収容する第２のステップとを有する。ここで、第２のステップは、固定板の両サイドの縁部をレール部にそれぞれ狭持させて、ハウジングの底部側よりスライド挿入するステップである。
【０００９】
ここで、第２の発明は、第２のステップの前に、ハウジングの上部に、収集された環境情報を外部に送信するためのアンテナユニットと、このアンテナユニットを収容するアンテナカバーとをそれぞれ取り付ける第３のステップをさらに有していてもよい。
【００１０】
また、第２の発明は、第２のステップの後に、ハウジングの底部開口を封止する底板部を取り付ける第４のステップをさらに有することが望ましい。
【発明の効果】
【００１１】
電子部品の数が多い場合には、ハウジング内に個々の電子部品を個別的に収容することは作業性が悪いが、電子部品が予め組み付けられた固定板をハウジング内部に収容するだけでよいので、電子部品の収容作業を簡単に行うことができる。また、電子部品同士の配線をハウジング内で行うことは作業性が悪いが、ハウジングに挿入する前に、固定板上で電子部品同士の配線を行えばよいので、作業性の向上を図ることができる。また、ハウジングの内部に、固定板に対応したレール部を設ければよく、個々の電子部品に対応した取付構造や取付部品が不要となり、簡素なハウジング構造とすることができる。また、電子部品に故障が発生した場合、或いは、メンテナンスの場合には、ハウジング内から固定板を外すことにより全電子部品を一括で取り扱うことができるので、これにより作業性の向上を図ることができる。また、ハウジング内部に、外気を取り込む開口から温湿度センサまで外気を誘導する誘導パイプを有しているので、この誘導パイプにより取り込まれた外気とハウジングの内気との間で熱的な影響が相互に及ぶことがなく、正確な外気温度、外気湿度を計測することができる。また、誘導パイプがハウジングの内壁及び固定板と接触していないため、外気にさらされるハウジングからの熱の影響を受けず、また、固定された電子部品からの熱の影響も受け難くなる。これにより、正確な外気温度、外気湿度を計測することが可能となる。
【発明を実施するための最良の形態】
【００１２】
図１は、本発明の実施形態にかかるデータ収集装置３が適用される農作物育成支援システム１の全体構成を示すブロック図である。本実施形態にかかる農作物育成支援システム１は、農家の作業者側に設けられる農家側コンピュータ（以下「農家側ＰＣ」という）２と、農地に設けられるデータ収集装置３と、集計・解析者側に設けられるサーバ４とを主体に構成されている。この農作物育成支援システム１において、農家側ＰＣ２、データ収集装置３およびサーバ４は、インターネット等の電気通信回線５を介して相互に情報通信可能に構成されている。
【００１３】
農家側ＰＣ２は、パーソナルコンピュータ、携帯電話機、ＰＤＡ（Personal Digital Assistant）等の汎用の情報処理装置により構成されている。この農家側ＰＣ２は、電気通信回線５を介してデータ収集装置３またはサーバ４が保有する各種情報（具体的には、収集データ）を閲覧またはダウンロードしたり、電気通信回線５を介してデータ収集装置３を遠隔操作したりすることができる。
【００１４】
データ収集装置３は、農作物を育成する農地に設置されており、農作およびこの農地における農作物に関する情報を収集する。このデータ収集装置３は、図示しないアクセスポイントとの間で無線通信を行うことにより、電気通信回線５を介して農家側ＰＣ２またはサーバ４との間で情報通信を行うことができる。なお、データ収集装置３の詳細については後述する。
【００１５】
サーバ４は、ワークステーション等の汎用の情報処理装置により構成されている。このサーバは、データ収集装置３が検出した情報を受信したり、受信した情報を農家毎に所定の形式で集計したり、集計した情報を統計処理等の解析手法を利用して解析することにより農地及び農作物にとって最適な育成条件に関する情報を抽出したり、集計した情報または抽出された情報を農家側ＰＣ２に送信する機能を実現したりすることができる。
【００１６】
図２は、本実施形態にかかるデータ収集装置３の外観を模式的に示す斜視図である。データ収集装置３は、本体ユニット３０を主体に構成されている。本体ユニット３０は、略四角柱形状を有するハウジング３１と、ハウジング３１を支持する脚部３２とを有している。この脚部３２は、その一部分が地中に埋設されており、この脚部３２を介してハウジング３１（本体ユニット３０そのもの）が農地に設置される。
【００１７】
ハウジング３１は、その内部に情報収集に必要な複数の電子部品を収容するものであり、本体部３３と、底板部３５と、アンテナカバー３６とを主体に構成されている。本体部３３および底板部３５は、データ収集装置３の強度を確保する観点から金属製であり、アンテナカバー３６は、アンテナの電波特性を阻害しないようにとの観点から、樹脂製となっている。
【００１８】
本体部３３は、図３に示すように、略矩形状の断面形状を有する筒状の部材であり、４つの側壁部３３ａ〜３３ｄで構成されている。これらの側壁部３３ａ〜３３ｄにおいて、断面が略コの字形状となる３つの側壁部３３ａ〜３３ｃは、互いに一体成形されており、残りの側壁部３３ｄは、これらの側壁部３３ａ〜３３ｃに対して着脱可能に構成されている。互いに一体成形された３つの側壁部３３ａ〜３３ｃのうち、互い対向する一対の側壁部３３ｂ，３３ｃには、その内壁部の対応する位置に、本体部３３の軸方向に延在する溝状のレール部３３ｅがそれぞれ形成されている。一対のレール部３３ｅは、ハウジング３１（本体部３３）の内部に収容される固定板４０の両サイドの縁部を狭持することにより、この固定板４０を保持するとともに、ハウジング３１（本体部３３）に対して挿抜が可能な固定板４０のスライドをガイドする。本体部３３は、上部および底部に対応する両端部がともに開放されている。
【００１９】
底板部３５は、本体部３３の底部に配置されており、本体部３３の底部開口を封止する機能と、ハウジング３１内に収容される固定板４０を保持する機能を担っている。また、この底板部３５は、上述した脚部３２とハウジング３１との連結機能も担っている。一方、アンテナカバー３６は、本体部３３の上部に配置されており、本体部３３の上部開口を封止する機能を担っている。また、このアンテナカバー３６は、アンテナユニット５０（後述する図６および図７参照）の外観と形状的に対応した構成されており、アンテナユニット５０を内部に収容してそれをカバーする機能を担っている。
【００２０】
図４は、固定板４０および電子部品の状態を模式的に示す側面図である。ハウジング３１に収容される個々の電子部品は、固定板４０に固定されており、個々の電子部品同士の配線が行われている。本実施形態において、情報収集に必要な電子部品としては、ＣＰＵやメモリのほか無線カードなどで構成されるＣＰＵボード４１、センサやカメラからの信号を取得してデータ収集を行うデータ収集ボード４２、各種の電子部品に電力を供給するＡＣ／ＤＣ電源４３およびＤＣ／ＤＣ電源４４が挙げられる。また、これ以外にも、データ収集ボード４２に入力される信号のノイズを除去するノイズフィルタ４５、電子部品を異常電圧から保護するサージプロテクタ４６、センサやカメラに繋がるケーブルが物理的に接続されるセンサインターフェース４７、外部電源に繋がるケーブルが物理的に接続される電源インターフェース４８などが挙げられる。さらに、この固定板４０には、外気取込用ファン４９、および、温湿度センサ６０が取り付けられている。外気取込用ファン４９は、温湿度センサ６０に対して検出用の外気を取り込むためのファンであり、温湿度センサ６０は、外気取込用ファン４９の近傍に設けられており、外気取込用ファン４９によって取り込まれた外気の温度および湿度を検出する。
【００２１】
ハウジング３１の本体部３３には、開口３０ｆ（図２参照）が形成されている。この開口３０ｆは、固定板４０に取り付けられた外気取込用ファン４９によってハウジング３１の内部に外気を取り込むために形成されている。ところで、外気の温度および湿度を正確に検出するためには、地面からの高さが所定の範囲内にある空気を対象として検出を行う必要があるため、この検出範囲に応じて、本体部３３における開口３０ｆの位置が設定されている。一方、外気取込用ファン４９は、取り込まれた外気によってハウジング３１の内部環境が悪化することを抑制する観点から、取り込んだ外気がハウジング３１外へと排出されるように、図示しない排出口が形成された底板部３５の近傍に位置するように固定板４０に配置されている。このため、ハウジング３１には、その内部に、開口３０ｆから外気取込用ファン４９（温湿度センサ６０）まで外気を誘導するための誘導パイプ５１（後述する図７参照）が設けられている。この誘導パイプは、取り込まれた外気と、ハウジング３１の内気との間で熱的な影響が相互に及ばないように、断熱性に優れる部材で形成されている。
【００２２】
また、ハウジング３１の本体部３３には、表示窓３３ｇ（図２参照）が形成されている。本体部３３の内部には、この表示窓３３ｇと位置的に対応して表示ユニット５２（図４参照）が取り付けられており、表示窓３３ｇを介して、表示ユニット５２が表示する必要な情報を確認することができる。表示ユニット５２は、固定板４０に固定されるＣＰＵボード４１等の電子部品と電気的に接続されている。
【００２３】
また、ハウジング３１の本体部３３の上部には、アンテナユニット５０が配置されている。アンテナユニット５０は、アンテナ５０ａと、板状のアンテナ反射板５０ｂとで構成されている。アンテナ反射板５０ｂは、本体部３３の上部開口を覆うように取り付けられており、その上面にはアンテナ５０ａが起立した状態で設けられている。このアンテナ反射板５０ｂは、電波の反射特性に優れる部材で構成されており、これにより、金属製の本体部３３によって電波が妨害されるといった事態を抑制するようになっている。アンテナユニット５０のアンテナ５０ａは、固定板４０に固定されるＣＰＵボード４１等の電子部品と電気的に接続されている。
【００２４】
このような構成の本体ユニット３０には、農地およびこの農地における農作物の情報を検出する検出手段が接続されている。本実施形態において、検出手段は、温湿度センサ６０，６１およびカメラユニット６２がこれに該当する。
【００２５】
温湿度センサ６０，６１は、温度および湿度を検出するセンサであり、白金測温抵抗体型（温度）および静電容量式高分子ポリマー型（湿度）などを用いることができる。温湿度センサ６０は、上述したように、ハウジング３１の内部に収容される固定板４０に固定されており、外気取込用ファン４９によって取り込まれた外気から、農地における温度および湿度を検出する。温湿度センサ６１は、図２に示すように、本体ユニット３０とは独立して農地に配置される支柱３８に取り付けられており、農地における温度および湿度を検出する。
【００２６】
カメラユニット６２は、図２に示すように、支柱３８に取り付けられている。カメラユニット６２には、例えば、ＣＣＤまたはＣＭＯＳセンサ等のイメージセンサ（図示せず）が内蔵されており、農地および農地における農作物を含む景色を撮像し、これを画像信号として出力する。このカメラユニット６２は、ソーラーパネル，１００Ｖ電源，１２Ｖバッテリ等の電源から電力の供給を受けることにより動作する。
【００２７】
なお、これ以外にも、本体ユニット３０には、検出手段としては、土壌温度センサ、土壌水分センサ、土壌ＥＣセンサ、日射量センサ、ＣＯ２センサなどが接続されていてもよい。ここで、土壌温度センサは、農地における土壌温度を検出するセンサである。土壌水分センサは、農地における土壌水分を検出するセンサであり、例えば、電気抵抗型のセンサを用いることができる。土壌ＥＣセンサは、電気伝導度を用いて、農地の土壌中に存在している肥料分の含有傾向を検出するセンサである。日射量センサは、地表面上の全天日射量を検出するセンサであり、熱電対型などを用いることができる。ＣＯ２センサは、ＣＯ２濃度を検出するセンサであり、個体高分子型などを用いることができる。
【００２８】
図５は、データ収集装置３の構成を機能的に示すブロック図である。このようなハード構成のデータ収集装置３（具体的には、本体ユニット３０）は、これを機能的に捉えた場合、データ制御部３ａと、データ収集部３ｂと、データ演算部３ｃと、データ記憶部３ｄと、データ表示部３ｅと、無線通信制御部３ｆと、無線通信部３ｇと、センサインターフェース（センサＩ／Ｆ）部３ｈと、電源部３ｉとを有している。
【００２９】
データ制御部３ａは、数値計算や情報処理、機器制御などを行い、データ収集装置３の動作を総合的に制御する。本実施形態との関係では、データ制御部３ａは、データ演算部３ｃによって生成される情報をデータ記憶部３ｄに記憶させたり、データ表示部３ｅに表示させたりする。また、データ制御部３ａは、データ記憶部３ｄに記憶されている情報を読み込み、これを無線通信制御部３ｆに対して出力したりする。
【００３０】
データ収集部３ｂは、センサＩ／Ｆ部３ｈを介して、温湿度センサ６０，６１を含む各種センサからのセンサ信号およびカメラユニット６２からの画像信号を、予め設定された周期で自動的に収集する。データ収集部３ｂによって収集されたデータはデータ演算部３ｃに対して出力される。
【００３１】
データ演算部３ｃは、データ収集部３ｂから出力される各種の信号のそれぞれを対象として、センサ信号（電圧値など）を、利用者が理解することができる所定の形式（例えば、温度）に変換することにより、データ（以下「収集データ」という）を生成する。データ演算部３ｃにおいて生成された収集データは、データ制御部３ａに対して出力される。
【００３２】
データ記憶部３ｄは、収集データを記憶する機能を担っている。データ演算部３ｃからデータ制御部３ａに対して出力された収集データは、データ制御部３ａによってデータ記憶部３ｄに格納される。データ記憶部３ｄには、収集データ毎に、そのデータとともに、例えば、データを取得した時間や日付が対応付けて記憶される。
【００３３】
データ表示部３ｅは、データ制御部３ａによって制御されて、データ演算部３ｃから出力される収集データを表示したり、現在の動作状況といった各種の情報を表示する。このデータ表示部３ｅにより、農地において、収集データをリアルタイムで閲覧したり、その動作状況を把握することができる。
【００３４】
無線通信制御部３ｆは、所定時間毎に、データ制御部３ａに対してデータ記憶部３ｄに記憶されている所定の量の収集データ（例えば、サーバ４に対して未送信分の収集データ）を要求する。無線通信制御部３ｆは、データ制御部３ａから収集データを取得すると、この収集データを無線通信部３ｇを介して指定されたアクセスポイントへと送信することにより、サーバ４に対して収集データを送信する。また、無線通信制御部３ｆは、無線通信部３ｇを介して農家側ＰＣ２から収集データの送信要求を受信した場合には、送信要求において指定される所定期間分の収集データを、データ制御部３ａに対して要求する。無線通信制御部３ｆは、データ制御部３ａから収集データを取得すると、この収集データを無線通信部３ｇを介して指定されたアクセスポイントへと送信することにより、送信要求を送信した農家側ＰＣ２に対して収集データを送信する。
【００３５】
無線通信部３ｇは、無線通信を行うアンテナ機能を担っている。
【００３６】
センサＩ／Ｆ部３ｈは、温湿度センサ６０，６１を含む各種センサからのセンサ信号およびカメラユニット６２からの画像信号、データ収集部３ｂへと伝送する。
【００３７】
電源部３ｉは、ソーラーパネル，１００Ｖ電源，１２Ｖバッテリ等の電源から電力の供給を受けることにより、各電子部品に電力を供給するとともに、電源状態を制御する機能を担っている。
【００３８】
ここで、データ制御部３ａ、データ演算部３ｃ、データ記憶部３ｄおよび無線通信制御部３ｆとして挙げた個々の機能は、図４に示すＣＰＵボード４１によって実行される。データ収集部３ｂとして挙げた機能は、図４に示すデータ収集ボード４２によって実行される。データ表示部３ｅとして挙げた機能は、図７に示す表示ユニット５２によって実行され、また、無線通信部３ｇとして挙げた機能は、図６または図７に示すアンテナユニット５０によってその機能が実行される。センサＩ／Ｆ部３ｈとして挙げた機能は、図４に示すセンサインターフェース４７によって実行される。電源部３ｉとして挙げた機能は、図４に示すＡＣ／ＤＣ電源４３、ＤＣ／ＤＣ電源４４および電源インターフェース４８によって実行される。
【００３９】
以下、図６および図７を参照して、本実施形態にかかるデータ収集装置３を構成する本体ユニット３０の組立工程について説明する。この組立工程は、第１から第３の工程に分類される。ここで、ハウジング３１の本体部３３には、誘導パイプ５１および表示ユニット５２が組み付けられている。
【００４０】
第１の工程では、まず、アンテナ反射板５０ｂにアンテナ５０ａを固定して、アンテナユニット５０を組み立てる。つぎに、本体部３３の上部開口を覆うようにアンテナ反射板５０ｂを配置して、ネジ止め等の手法により、本体部３３の上部にアンテナユニット５０を取り付ける。そして、アンテナユニット５０の上部よりアンテナカバー３６を被せ、アンテナユニット５０の周囲が覆われるように、アンテナカバー３６を本体部３３の上部に取り付ける。アンテナカバー３６の固定は、アンテナ反射板５０ｂの下方よりネジ止めにて行う。
【００４１】
つぎに、第２の工程では、固定板４０の両サイドの縁部を、本体部３３の対向するレール部３３ｅにそれぞれ狭持させて、固定板４０をハウジング３１の底部側よりスライド挿入する。これにより、ハウジング３１の内部に固定板４０を収容する。なお、ハウジング３１に固定板４０を挿入する前提として、この固定板４０に対して、必要な電子部品を固定するとともに、電子部品同士の配線を予め行っておく。すなわち、ハウジング３１に固定板４０がスライド挿入される段階では、この固定板４０に必要な電子部品が既に組み付けられていることとなる。固定板４０を挿入したら、アンテナユニット５０および表示ユニット５２とＣＰＵボード４１との電気的な接続を行う。この電気的な接続は、固定板４０を本体部３３に挿入した後でも、本体部３３から、側壁部３３ｄを取り外すことにより容易に行うことができる。
【００４２】
そして、第３の工程では、本体部３３の底部に、その開口を覆うように、底板部３５を取り付ける。
【００４３】
このように本実施形態において、情報収集に必要な複数の電子部品は固定板４０に予め組み付けられており、これらの電子部品は、固定板４０の両サイドの縁部をハウジング３１のレール部３３ｅにそれぞれ狭持されて、底部側よりスライド挿入されることにより、ハウジング３１の内部に収容される。
【００４４】
かかる構成によれば、電子部品の数が多い場合には、ハウジング３１内に個々の電子部品を個別的に収容することは作業性が悪いが、電子部品が予め組み付けられた固定板４０に組み付けるだけでよいので、電子部品の収容作業を簡単に行うことができる。また、電子部品同士の配線をハウジング３１内で行うことは作業性が悪いが、ハウジング３１に挿入する前に、固定板４０上で電子部品同士の配線を行えばよいので、作業性の向上を図ることができる。また、ハウジング３１の内部に、固定板４０に対応したレール部３３ｅを設ければよく、個々の電子部品に対応した取付構造や取付部品が不要となり、簡素なハウジング構造とすることができる。また、電子部品に故障が発生した場合、或いは、メンテナンスの場合には、ハウジング３１内から固定板４０を外すことにより全電子部品を一括で取り扱うことができるので、これにより作業性の向上を図ることができる。
【００４５】
また、本実施形態によれば、ハウジング３１（具体的には、本体部３３）は、上部に、収集された環境情報を外部に送信するためのアンテナユニット５０と、アンテナユニット５０を収容するアンテナカバー３６が取り付けられている。このため、ハウジング３１の底部側より固定板４０をスライド挿入することにより、アンテナユニット５０およびアンテナカバー３６を取り外したりすることなく、固定板４０の挿抜を行うことができる。また、ハウジング３１の底部側を固定板４０の挿抜口とすることで、アンテナユニット５０およびアンテナカバー３６をその都度取り外す必要もないので、ハウジング３１上部側の気密を高める構造とすることができる。これにより、屋外に設置される場合であっても、ハウジング３１内部の防水性を高める構造をとすることができる。
【００４６】
また、本実施形態によれば、ハウジング３１は、底部開口を封止する底板部３５を有する。かかる構成によれば、底板部３５により、内部にスライド挿入された固定板４０を保持することができる。
【００４７】
以上、本発明の好適な実施形態について説明したが、本発明は上記実施形態に限定されるものではなく、要旨を逸脱しない範囲で上記実施形態に種々の改変を施すことができる。データ収集装置３は、無線通信以外にも有線で通信を行ってもよい。また、サーバ４の無いシステムでも、或いは、サーバ４と直接的に接続されたシステムでの本発明にかかるデータ収集装置３を用いることができる。
【００４８】
また、上述した各実施形態では、データ収集装置３は、農地およびこの農地における農作物に関する情報を収集するものであるが、本発明はこれに限定されず、広く一般的に屋外の環境情報を収集するデータ収集装置として適用することができる。
【図面の簡単な説明】
【００４９】
【図１】データ収集装置３が適用される農作物育成支援システム１の全体構成を示すブロック図
【図２】データ収集装置３の外観を模式的に示す斜視図
【図３】データ収集装置３のハウジング３１を模式的に示す断面図
【図４】固定板４０および電子部品の状態を模式的に示す側面図
【図５】データ収集装置３の構成を機能的に示すブロック図
【図６】データ収集装置３を構成する本体ユニット３０の組み立て工程の説明図
【図７】データ収集装置３を構成する本体ユニット３０の組み立て工程の説明図
【符号の説明】
【００５０】
１      農作物育成支援システム
２      ＰＣ
３      データ収集装置
３ａ    データ制御部
３ｂ    データ収集部
３ｃ    データ演算部
３ｄ    データ記憶部
３ｅ    データ表示部
３ｆ    無線通信制御部
３ｇ    無線通信部
３ｈ    センサＩ／Ｆ部
３ｉ    電源部
４      サーバ
５      電気通信回線
３０    本体ユニット
３１    ハウジング
３２    脚部
３３    本体部
３３ａ  側壁部
３３ｂ  側壁部
３３ｃ  側壁部
３３ｄ  側壁部
３３ｅ  レール部
３０ｆ  開口
３３ｇ  表示窓
３５    底板部
３６    アンテナカバー
３８    支柱
４０    固定板
４１    ＣＰＵボード
４２    データ収集ボード
４３    ＡＣ／ＤＣ電源
４４    ＤＣ／ＤＣ電源
４５    ノイズフィルタ
４６    サージプロテクタ
４７    センサインターフェース
４８    電源インターフェース
４９    外気取込用ファン
５０    アンテナユニット
５０ａ  アンテナ
５０ｂ  アンテナ反射板
５１    誘導パイプ
５２    表示ユニット
６０    温湿度センサ
６１    温湿度センサ
６２    カメラユニット
【図１】
0004936254.tif 000002
【図２】
0004936254.tif 000003
【図３】
0004936254.tif 000004
【図４】
0004936254.tif 000005
【図５】
0004936254.tif 000006
【図６】
0004936254.tif 000007
【図７】
0004936254.tif 000008